(57)【要約】【課題】照明光の照射方向が自由自在に可変可能なＬＥＤ電球およびこのＬＥＤ電球を具備する照明器具を提供する。【解決手段】ＬＥＤ電球１は、球状体８、球状体８の外面側に光出射部９およびスリット１０を有する灯体２と、発光ダイオード３と、点灯装置４と、スリット１０の長さ方向に球状体８を回動かつ保持可能に支持する一対の第１の支持部２１，２１および固定軸部２２を有する第１の軸体５と、一端側が固定軸部２２に固定された回転軸部２３を有する第２の軸体６と、他方側から外方に球状体８の一部が突出するように第２の軸体６を支持する第２の支持部２５を有するカバー７とを具備する。【選択図】図１
2008251444.tif 000002
【特許請求の範囲】
【請求項１】
中空状の球状体、この球状体の所定の中心軸上の外面側に形成された光出射部、前記球状体の中心を挟んで光出射部に対向する前記中心軸上の外面を中心として前記中心軸に対して対称となるようにかつ中心軸に対して平行に形成されたスリットを有する灯体と；
前記光出射部に対向するように前記球状体の内部に配設された発光ダイオードと；
この発光ダイオードを点灯させる点灯装置と；
前記スリットの長さ方向に前記球状体を回動かつ保持可能に支持する一対の第１の支持部およびこの第１の支持部間に亘って設けられた固定軸部を有する第１の軸体と;
前記スリットに挿通され、一端側が前記固定軸部に固定された回転軸部を有する第２の軸体と；
第２の軸体を前記回転軸部の回りに回転かつ保持可能に支持する第２の支持部を内部に有し、点灯装置が収容され、一方側に口金を装着し、他方側から外方に灯体の光出射部および球状体の一部が突出するように第２の支持部が第２の軸体を支持しているカバーと；
を具備していることを特徴とするＬＥＤ電球。
【請求項２】
灯体は、前記スリットが前記球状体の中心から開き角１８０°以上の範囲の長さを有するように形成され、前記球状体の外面がカバーの他方側から外方に１／２以上突出していることを特徴とする請求項１記載のＬＥＤ電球。
【請求項３】
第２の軸体の回転軸部は、一端側から他端側に亘って前記スリットの長さ方向の外面側に導電体が形成されており、一端側および他端側において前記導電体にそれぞれリード線が接続され、これらのリード線がそれぞれ点灯装置および発光ダイオードに接続されていることを特徴とする請求項１または２記載のＬＥＤ電球。
【請求項４】
中空状の灯体本体、この灯体本体の中心軸方向に形成された被支持部および前記中心軸方向であって前記被支持部と対向する灯体本体の外面側に形成された光出射部を有する灯体と；
固定軸部およびこの固定軸部の一端側に形成され、前記灯体本体を前記固定軸部の回りに揺動回転かつ保持可能に前記被支持部を支持している支持部を有する軸体と;
前記光出射部に対向するように前記灯体本体の内部に配設された発光ダイオードと；
この発光ダイオードを点灯させる点灯装置と；
この点灯装置が収容され、一方側に口金を装着し、他方側から外方に軸体の支持部が突出するように他方側の内部で軸体の固定軸部の他端側を固定しているカバーと；
を具備していることを特徴とするＬＥＤ電球。
【請求項５】
灯体とカバーの他方側の隙間は、変形可能の包囲体で覆われていることを特徴とする請求項４記載のＬＥＤ電球。
【請求項６】
請求項１ないし５いずれか一記載のＬＥＤ電球と；
このＬＥＤ電球が装着される電球用ソケットを配設している器具本体と；
を具備していることを特徴とする照明器具。
【発明の詳細な説明】
【技術分野】
【０００１】
本発明は、ランプソケットに装着されるＬＥＤ電球およびこのＬＥＤ電球を具備する照明器具に関する。
【背景技術】
【０００２】
光源として発光ダイオード（ＬＥＤ）を具備する電球（ＬＥＤ電球）は、同等の光量を得るための消費電力が少なく、発熱量も少ないという利点を有する。しかし、ＬＥＤ電球は、照明光の照射方向に指向性を有するので、その照明光の照射方向の調整をＬＥＤ電球の取付方向や照明器具の傾きなどによって行うことになり、単体ではできなかった。そこで、単体で照射方向の調整を容易に行えるＬＥＤ電球が提案されている（特許文献１参照。）。
【０００３】
この従来技術のＬＥＤ電球は、電球用口金が装着されているボディ部と、このボディ部に揺動回転可能に装着されているリング部と、リング部と一体になって揺動回転する透光性キャップ部とを有し、複数の発光ダイオードを配置している基板をリング部に固定支持することにより、基板をボディ部に対して相対回転揺動可能に構成し、さらに基板に複数の発光ダイオードを照射光量が多い方向と照射光量が少ない方向とが混在する状態に配設することにより、ＬＥＤ電球として照射方向性を持たせるように構成したものである。これにより、ＬＥＤ電球は、電球用ソケットに螺着結合された後でも、確実に照射方向を調整することができるというものである。
【特許文献１】特開２００６−３１０２０７号公報（第３−４頁、図１）
【発明の開示】
【発明が解決しようとする課題】
【０００４】
特許文献１のＬＥＤ電球は、リング部材が電球用口金を固定しているボディ部に対して回転揺動するので、基板に配置された発光ダイオードが回動中心軸線の周りに回転する。したがって、発光ダイオードからの光の照射方向が回動中心軸線の周りに限定されるという欠点を有する。例えば、ＬＥＤ電球の長手方向が天井面に平行な方向で器具本体内に取り付けられるダウンライトでは、照射方向を可変する利点が発揮できないものである。
【０００５】
本発明は、照明光の照射方向が自由自在に可変可能なＬＥＤ電球およびこのＬＥＤ電球を具備する照明器具を提供することを目的とする。
【課題を解決するための手段】
【０００６】
請求項１に記載のＬＥＤ電球の発明は、中空状の球状体、この球状体の中心軸上の外面側に形成された光出射部、前記球状体の中心を挟んで光出射部に対向する前記中心軸上の外面を中心として前記中心軸に対して対称となるようにかつ中心軸に対して平行に形成されたスリットを有する灯体と；前記光出射部に対向するように前記球状体の内部に配設された発光ダイオードと；この発光ダイオードを点灯させる点灯装置と；前記スリットの長さ方向に前記球状体を回動かつ保持可能に支持する一対の第１の支持部およびこの第１の支持部間に亘って設けられた固定軸部を有する第１の軸体と;前記スリットに挿通され、一端側が前記固定軸部に固定された回転軸部を有する第２の軸体と；第２の軸体を前記回転軸部の回りに回転かつ保持可能に支持する第２の支持部を内部に有し、点灯装置が収容され、一方側に口金を装着し、他方側から外方に灯体の光出射部および球状体の一部が突出するように第２の支持部が第２の軸体を支持しているカバーと；を具備していることを特徴とする。
【０００７】
本発明および以下の各発明において、特に言及しない限り、各構成は以下による。
【０００８】
「球状体の中心軸」とは、球状体の中心を通る直線であり、球状体の回転対称の中心線である。「所定の中心軸」とは、前記中心線のひとつをいう。
【０００９】
光出射部は、球状体の外面に形成された開口であってもよく、外面側に設けた透光部材であってもよい。また、球状体が透光部材により形成されているときの光出射部位としてもよい。
【００１０】
発光ダイオードは、基板に実装されており、１個であっても複数個であってもよい。
【００１１】
カバーの第２の支持部は、カバー自身に形成される他、別の支持部材に形成され、この支持部材がカバーに取り付けられてもよい。
【００１２】
本発明によれば、球状体は、第１の軸体の第１の支持部に回転かつ保持可能に支持されているので、カバーの他方側から突出している球状体の外面を掴んで、灯体を第１の軸体の固定軸部の回りにスリットの略長さに亘って回転させられ、その回転後の状態が保持される。また、第１の軸体の固定軸部が第２の軸体の一端側に固定され、第２の軸体がカバーの第２の支持部に回転かつ保持可能に支持されているので、カバーの他方側から突出している球状体の外面を掴んで、灯体を第２の軸体の回転軸部の回りに回転させられ、その回転後の状態が保持される。こうして、灯体は、自由自在に回転されるので、発光ダイオードからの光の照射方向が所望に調整可能となる。
【００１３】
請求項２に記載のＬＥＤ電球の発明は、請求項１記載のＬＥＤ電球において、灯体は、前記スリットが前記球状体の中心から開き角１８０°以上の範囲の長さを有するように形成され、前記球状体の外面がカバーの他方側から外方に１／２以上突出していることを特徴とする。
【００１４】
「開き角１８０°以上」とは、スリットの長さ方向（長手方向）の両端面と球状体の中心を結ぶ仮想直線が前記中心において形成される角度が１８０°以上であることを意味する。
【００１５】
本発明によれば、灯体は、第１の軸体の固定軸部の回りにスリットの略長さに亘って回転させられるので、灯体を全方向で第２の軸体の回転軸部に対して９０°以上回転させられる。これにより、発光ダイオードからの光の照射方向は、全方向で第２の軸体の回転軸部に対して９０°以上可変となる。
【００１６】
請求項３に記載のＬＥＤ電球の発明は、請求項１または２記載のＬＥＤ電球において、第２の軸体の回転軸部は、一端側から他端側に亘って前記スリットの長さ方向の外面側に導電体が形成されており、一端側および他端側において前記導電体にそれぞれリード線が接続され、これらのリード線がそれぞれ点灯装置および発光ダイオードに接続されていることを特徴とする。
【００１７】
回転軸部の一端側は、スリットよりもカバーの第２の支持部側の部位をいい、他端側は、スリットよりも第１の軸体の固定軸部側の部位をいう。
【００１８】
スリットの幅方向の回転軸部の外面側は、灯体がスリットの長さ方向に回転したときにスリットの内面に当接するものである。したがって、当該外面側の部位に導電体が形成されていると、回転軸部がスリットの内面に当接したときに導電体が傷つくおそれがある。したがつて、導電体は、スリットの長さ方向の回転軸部の外面側に形成するものである。
【００１９】
本発明によれば、第２の軸体の回転軸部に形成された導電体およびリード線により点灯装置および発光ダイオードが電気接続される。そして、発光ダイオードは、点灯装置から直流電圧が供給されて点灯する。
【００２０】
請求項４に記載のＬＥＤ電球の発明は、中空状の灯体本体、この灯体本体の中心軸方向に形成された被支持部および前記中心軸方向であって前記被支持部と対向する灯体本体の外面側に形成された光出射部を有する灯体と；固定軸部およびこの固定軸部の一端側に形成され、前記灯体本体を前記固定軸部の回りに揺動回転かつ保持可能に前記被支持部を支持している支持部を有する軸体と;前記光出射部に対向するように前記灯体本体の内部に配設された発光ダイオードと；この発光ダイオードを点灯させる点灯装置と；この点灯装置が収容され、一方側に口金を装着し、他方側から外方に軸体の支持部が突出するように他方側の内部で軸体の固定軸部の他端側を固定しているカバーと；を具備していることを特徴とする。
【００２１】
「灯体本体の中心軸」とは、灯体本体の回転対称の中心線をいう。すなわち、灯体本体の外形は、中心軸に対して回転対称に形成されているものである。
【００２２】
カバーは、カバー自身で軸体の固定軸部の他端側を固定してもよく、別の支持部材で固定軸部の他端側を固定し、この支持部材を内部で取り付けるようにしてもよい。
【００２３】
本発明によれば、灯体の被支持部は、軸体の支持部に揺動回転かつ保持可能に支持されているので、灯体本体の外面を掴んで、灯体を軸体の固定軸部の回りに揺動回転させられ、その回転後の状態が保持される。灯体を揺動回転させることができるので、発光ダイオードからの光の照射方向が所望に調整可能となる。
【００２４】
請求項５に記載のＬＥＤ電球の発明は、請求項４記載のＬＥＤ電球において、灯体とカバーの他方側の隙間は、変形可能の包囲体で覆われていることを特徴とする。
【００２５】
包囲体は、例えば蛇腹状の弾性変形可能な部材によって構成され、灯体が揺動回転したときに自在に変形する。
【００２６】
本発明によれば、包囲体により点灯装置と発光ダイオードを接続するリード線や軸体が包囲されるので、リード線や軸体が外部から見えなくなる。
【００２７】
請求項６に記載の照明器具の発明は、請求項１ないし５いずれか一記載のＬＥＤ電球と；このＬＥＤ電球が装着される電球用ソケットを配設している器具本体と；を具備していることを特徴とする。
【００２８】
本発明によれば、請求項１ないし５いずれか一記載のＬＥＤ電球を具備するので、発光ダイオードからの光の照射方向が自由自在に可変可能な照明器具が提供される。
【発明の効果】
【００２９】
請求項１の発明によれば、灯体の球状体を回転させることにより、発光ダイオードからの光の照射方向が自由自在に可変されるので、ＬＥＤ電球の外観形状がほとんど変化することなく、白熱電球が装着される照明器具に装着可能となり、照明光を所望の方向に照射することができる。
【００３０】
請求項２の発明によれば、灯体を第２の軸体の回転軸部に対して９０°以上回転することができて、発光ダイオードからの光の照射方向が全方向で少なくとも９０°可変可能となるので、ＬＥＤ電球の取付状態を変更することなく、全方向の所望範囲に照明光を照射することができる。
【００３１】
請求項３の発明によれば、灯体のスリットにリード線が挿通されないので、スリットの大きさを小さくすることができ、これにより、球状体の外面でのスリットの占有面積が小さくなって、灯体の美観が損なわれることを抑制することができる。
【００３２】
請求項４の発明によれば、灯体の灯体本体を揺動回転させることにより、発光ダイオードからの光の照射方向が自由自在に可変されるので、ＬＥＤ電球の外観形状が大きく変化することなく、白熱電球が装着される照明器具に装着可能となり、照明光を所望の方向に照射することができる。
【００３３】
請求項５の発明によれば、包囲体によりリード線や軸体が外部から見えなくなるので、灯体を揺動回転させて照明光の照射方向を可変したときのＬＥＤ電球の美観が損なわれることを抑制することができる。
【００３４】
請求項６の発明によれば、照明器具は、発光ダイオードからの光の照射方向が自由自在に可変可能なＬＥＤ電球を具備するので、外観を損なうことなく、照明光の照射方向を調整することができる。
【発明を実施するための最良の形態】
【００３５】
以下、本発明の一実施の形態について図面を参照して説明する。まず、本発明の第１の実施形態について説明する。
【００３６】
図１ないし図６は、本発明の第１の実施形態を示し、図１はＬＥＤ電球の一部切り欠き概略正面断面図、図２はＬＥＤ電球の一部切り欠き概略側面断面図、図３はＬＥＤ電球の灯体を変向した状態の右側面図、図４はＬＥＤ電球の灯体を変向した状態の左側面図、図５は第１の軸体の第１の支持部における部分拡大図、図６は第１の軸体における一部切り欠き概略側面図である。
【００３７】
図１において、ＬＥＤ電球１は、灯体２、発光ダイオード３、点灯装置４、第１の軸体５、第２の軸体６およびカバー７を有して構成されている。
【００３８】
灯体２は、球状体８、光出射部としての開口９、スリット１０および一対の第１の被支持１１，１１を有して構成されている。球状体８は、例えばアルミニウム（Ａｌ）からなり、中空（内部空間）を有し、外面８ａがほぼ球形に形成されている。開口９は、球状体８の所定の中心軸Ａと交差する外面側に所定の大きさで円形に形成されている。
【００３９】
スリット１０は、球状体８の中心Ｓ１を挟んで開口９と対向し、かつ中心軸Ａと交差する外面に、所定の幅および所定の長さを有して形成されている。そして、中心軸Ａに対して対称となるようにかつ平行となるように形成されている。スリット１０の幅は、第２の軸体６の後述する回転軸部２３よりも幾分大きいものである。また、スリット１０の形成範囲は、球状体８の直径周りの外周に球状体８の中心Ｓ１から開き角１８０°の範囲に形成されていて、具体的には、直径周りの外周の１／２の長さに第２の軸体６の回転軸部２３の厚さ（大きさ）を２倍して加算した長さとなっている。
【００４０】
第１の被支持部１１，１１は、球状体８の中心Ｓ１において球状体８の中心軸Ａと直交し、かつスリット１０の長さ方向と直交する方向の内面側の部位に球状体８の中心Ｓ１を挟んで形成されたものである。そして、第１の被支持部１１は、受け部１１ａおよび嵌止め１１ｂを有する球面受部に形成されている。
【００４１】
また、球状体８は、三つ割りの部材８Ａ，８Ｂ，８Ｃを組み合わせて形成したものであり、略椀形状の部材８Ａに光出射部としての開口９が形成されている。部材８Ａは、内面側に環状座として形成された周段部１２を有している。
【００４２】
発光ダイオード３は、例えば白色発光をする面実装形であり、伝熱性を有する基板１４に実装されている。そして、発光ダイオード３の前面側には、発光ダイオード３を被うようにして略円錐状のレンズ１５が配置されている。レンズ１５は、例えばポリカーボネート（ＰＣ）樹脂からなり、発光ダイオード３から放射された光を所定の方向に制御して出射するものであり、レンズホルダ１６に支持されている。レンズホルダ１６は、例えばアルミニウム（Ａｌ）からなり、二つ割りのホルダ部材の組み合わせによって略円筒体に形成されている。
【００４３】
そして、基板１４およびレンズホルダ１６は、円盤状に形成された取付部材１７に例えば接着材により固着されている。そして、取付部材１７は、発光ダイオード３が開口９に対向するように球状体８の周段部１２にねじ１８により固定されている。また、取付部材１７は、図示しない貫通孔が形成されている。この貫通孔には、雄コネクタ１９が接続されたリード線２０が挿通されている。リード線２０は、基板１４に接続されている。こうして、発光ダイオード３は、球状体８の内部に配設され、その放射光が開口９から出射されるようにしている。
【００４４】
点灯装置４は、発光ダイオード３を点灯させる点灯回路部品が回路基板４ａに実装されている。そして、点灯装置４は、交流電圧例えば１００Ｖを直流電圧、例えば２４Ｖに変換して電力を供給する定電流回路を備えており、発光ダイオード３に所定の電力を供給するように構成されている。
【００４５】
第１の軸体５は、例えばアルミニウム（Ａｌ）からなり、一対の第１の支持部２１，２１およびこの第１の支持部２１，２１間に亘って設けられた固定軸部２２を有している。固定軸部２２は、中央部が円盤２２ａに形成され、円盤２２ａと第１の支持部２１との間が円状または角状の棒状部２２ｂに形成されている。そして、第１の支持部２１は、外面が球面である球面体２１ａに形成され、灯体２の第１の被支持部１１を構成する受け部１１ａに嵌め込まれている。
【００４６】
受け部１１ａは、図５に示すように、球面体２１ａの径と同一の半球面からなる底面を有しており、その底面に球面体２１ａの外面が接するように第１の軸体５が挿入されている。そして、二つ割りの嵌止め１１ｂが嵌め合わされている。こうして、受け部１１ａが回転可能な状態で第１の軸体５に支持される。すなわち、球状体８（灯体２）が回転できて、その状態を保持することができるものである。そして、球状体８は、第１の軸体５を回転軸としてスリット１０の長さ方向に回転され、図２に示すように、スリット１０の形成範囲（図中、矢印で示す範囲）に亘って回転される。
【００４７】
第２の軸体６は、図１に示すように、例えば角形の棒状に形成された回転軸部２３および第２の被支持部２４を有している。そして、回転軸部２３は、一端側の端部に円盤２３ａを形成している。回転軸部２３および円盤２３ａは、灯体２のスリット１０の幅よりも小さく形成されている。そして、回転軸部２３は、スリット１０に挿通され、回転軸部２３が第１の軸体５の固定軸部２２に直交するように、円盤２３ａが固定軸部２２の円盤２２ａにねじ等により固定されている。
【００４８】
第２の被支持部２４は、回転軸部２３の他端側に形成されたものであり、外面が球面である球面体２４ａに形成されている。この球面体２４ａは、カバー７の第２の支持部２５としての受け部２５ａに嵌め込まれている。受け部２５ａは、円盤状に形成された基台２６の中央部に突出形成されている。この基台２６は、貫通孔２７および受け部２５ａの突出形成面に突片２８を設けている。
【００４９】
そして、受け部２５ａは、球面体２４ａの径と同一の半球面からなる底面を有しており、その底面に球面体２４ａの外面が接するように第２の軸体６が挿入されている。そして、第２の軸体６が外れないように、二つ割りの嵌止め２５ｂが嵌め合わされている。こうして、第２の軸体６の球面体２４ａが回転可能な状態で受け部２５ａに支持される。すなわち、第２の軸体６が回転軸部２３の回りに回転できて、その状態を保持することができるものである。
【００５０】
そして、第２の軸体６の回転軸部２３の他端側には、突片２９が設けられている。この突片２９は、第２の軸体６が回転したときに基台２６に設けられた突片２８に当接する。そして、当接すると、第２の軸体６を逆方向に回転することができ、約３６０°回転すると、再び、突片２９が突片２８に当接する。すなわち、突片２９および突片２８は、後述するリード線３３，３５の捩れを防止するためのストッパとなっているものである。
【００５１】
また、回転軸部２３は、灯体２が第１の軸体５の固定軸部２２を回転軸としてスリット１０の長さ方向に回転したときに、スリット１０の位置が移動し、図２に示すように、幅方向の端面１０ａ，１０ｂに当接する。これにより、灯体２の上記回転が規制される。回転軸部２３は、上記回転を規制するストッパとなっている。
【００５２】
第２の軸体６の回転軸部２３は、他端側の円盤２３ａで第１の軸体５の固定軸部２２に固定されており、第１の軸体５の一対の第１の支持部２１（球状体２１ａ）は、灯体２の第１の被支持部１１（受け部１１ａ）を支持しているので、第２の軸体６が回転軸部２３の回りに回転すると、灯体２が回転軸部２３の回りに回転するようになる。
【００５３】
そして、第２の軸体６の回転軸部２３は、図６に示すように、一端側から他端側に亘って灯体２のスリット１０の長さ方向に導電体としての銅箔３０が形成されている。そして、銅箔３０の端子部３０ａ，３０ｂを除いてレジスト３１が塗布されている。端子部３０ａには、雌コネクタ３２が接続されたリード線３３がはんだ付けされ、端子部３０ｂには、雄コネクタ３４が接続されたリード線３５がはんだ付けされている。突片２９は、銅箔３０が形成された面の背面側に設けられている。
【００５４】
そして、図１に示すように、雌コネクタ３２は、リード線２０に接続された雄コネクタ１９に接続されている。また、雄コネクタ３４およびリード線３５は、基台２６の貫通孔２７を挿通し、雄コネクタ３４が回路基板４ａの雌コネクタ３６に接続されている。これにより、発光ダイオード３は、点灯装置４から直流電圧が供給されて点灯可能となっている。
【００５５】
カバー７は、例えばポリブチレンテレフタレート（ＰＢＴ）樹脂からなり、一方側に所定の高さに形成された円筒部３７、この円筒部３７から他方側に拡開する略ラッパ状のカバー部３８を有している。また、内部に環状座としての孔３９を有する台部４０を形成している。
【００５６】
そして、受け部２５ａ（第２の支持部２５）を孔３９に挿入して台部４０の上面４０ａに基台２６をねじ４１により固定している。そして、受け部２５ａは、カバー部３８の下端３８ａから外方に灯体２の開口９および球状体８の一部が突出するように第２の軸体６の球面体２４ａ（第２の被支持部２４）を支持している。
【００５７】
ここで、球状体８の外面８ａがカバー部３８の下端３８ａから外方に１／２以上突出するように、第２の軸体６の回転軸部２３の長さが設定されている。灯体２のスリット１０は、球状体８の中心Ｓ１から開き角１８０°以上の範囲の長さを有するように形成されているので、灯体２を第１の軸体５を回転軸として、スリット１０の長さ方向に最大に回転させても、図３に示すように、灯体２の光出射部としての開口９およびレンズ１５などをカバー部３８の下端３８ａから外方に位置させることが可能になっている。すなわち、口金４２の取付方向に対して灯体２が９０°となるように回転させても、発光ダイオード３からの光がカバー部３８により遮られることがない。
【００５８】
そして、点灯装置４は、図１に示すように、台部４０よりも円筒部３７側に収容されている。すなわち、取付金具２６Ａにより、回路基板４ａが基台２６に取り付けられている。そして、円筒部３７に口金４２が装着されている。口金４２は、回路基板４ａから導出されたリード線４３ａ，４３ｂを接続している。
【００５９】
次に、本発明の第１の実施形態の作用について説明する。
【００６０】
カバー７の下端３８ａから突出している灯体２の球状体８の外面８ａを掴み、灯体２をカバー７側（口金４２の装着方向と９０°となる方向）に回転させるようにすると、第１の軸体５を回転軸として灯体２がスリット１０の長さ方向に回転する。この回転は、第２の軸体６の回転軸部２３がスリット１０の幅方向の端面１０ａ，１０ｂに当接するまで行える。そして、第１の軸体５の一対の球面体２１ａ（第１の支持部２１）は、灯体２の受け部１１ａ（第１の被支持部１１）を保持可能に支持するので、回転後の灯体２の状態が保持される。
【００６１】
そして、灯体２をカバー７の回りに回転させるようにすると、第２の軸体６を回転軸として第２の軸体６の回転軸部２３の回り、すなわちカバー７の回りに灯体２が回転する。この回転は、台部２６に設けられた突部２８および回転軸部２３に設けられた突部２９が互いに当接するまで行え、カバー７に対して右回り、左まわりに約３６０°行える。そして、台部２６の受け部２５ａ（第２の支持部２５）は、第２の軸体６の球面体２４ａ（第２の被支持部２４）を保持可能に支持するので、回転後の灯体２の状態が保持される。
【００６２】
こうして、灯体２を自由自在に回転させることができ、灯体２の回転に応じて発光ダイオード３からの光の照射方向も自由自在に変化するので、灯体２からの照明光を所望の方向に調整することができる。そして、灯体２は、球状体８によって外形が略球体であるので、ＬＥＤ電球１は、その外形が損なわれることなく、照明光を所望の方向に照射することができる。
【００６３】
そして、灯体２は、スリット１０が球状体８の中心Ｓ１から開き角１８０°以上の範囲の長さを有するように形成され、球状体８の外面８ａがカバー７の下端３８ａから外方に１／２以上突出しているので、第２の軸体６の回転軸部２３の長手方向（口金４２の装着方向）に対して少なくとも９０°回転することができる。そして、灯体２をカバー７の回りに回転することもできるので、ＬＥＤ電球１の取付状態を変更することなく、全方向の所望範囲に照明光を照射することができる。すなわち、ＬＥＤ電球１を横向きに装着するダウンライトに装着しても、器具本体の反射板を利用することなく、任意の方向にスポット照明を得ることができる。
【００６４】
また、第２の軸体６の回転軸部２３に導電体としての銅箔３０が形成されて、灯体２のスリット１０にリード線３５を挿通しないので、スリット１０の大きさを小さくすることができる。これにより、状体２の外面８ａでのスリット１０の占有面積が小さくなり、図４に示すように、灯体２がカバー７に対して横向きに回転されてスリット１０が外方に露出しても、ＬＥＤ電球１の美観が損なわれることを抑制することができる。
【００６５】
次に、本発明の第２の実施形態について説明する。
【００６６】
図７は、本発明の第２の実施形態を示すＬＥＤ電球の一部切り欠き概略正面断面図、図８は、同じくＬＥＤ電球の一部切り欠き概略側面断面図である。なお、図１と同一部分には同一符号を付して説明は省略する。
【００６７】
図７に示すＬＥＤ電球１Ａは、図１に示すＬＥＤ電球１において、第１の軸体５の球面体２１ａ（第１の被支持部２１）が球状体８の外面８ａに設けられている。固定軸部２２の棒状部２２ｂは、球状体８に設けられた孔（図示しない。）に密接するように挿通されている。そして、カバー７Ａは、カバー部３８Ａが延在され、下端３８Ａａが球状体８の中心Ｓ１よりも開口９側となるように形成されている。そして、カバー部３８Ａの下端３８Ａａ側の内面に、図８に示すように、第１の軸体５の球面体２１ａが挿入された環状の凹部１１Ａが形成されている。凹部１１Ａは、球面体２１ａの半径と同一の半球面からなる底面を有している。
【００６８】
灯体２が第２の軸体６の回転軸部２３の回りに回転すると、第１の軸体５の球面体２１ａが前記凹部１１Ａに沿って移動する。このとき、灯体２は、第１および第２の軸体５，６を介して、基台２６に設けられた第２の支持部２５および前記凹部１１Ａの２箇所で支持されるので、安定して移動するとともに、カバー部３８Ａに強固に取り付けられるものである。
【００６９】
なお、球状体８の外面８ａは、カバー部３８Ａの下端３８Ａａから外方に突出している領域が他の領域よりも小さくなっているので、スリット１０の長さを短くしている。すなわち、灯体２は、第２の軸体６の回転軸部２３の長手方向（口金４２の装着方向）に対する回転角度が狭くなっている。
【００７０】
次に、本発明の第３の実施形態について説明する。
【００７１】
図９は、本発明の第２の実施形態を示すＬＥＤ電球の一部切り欠き概略正面断面図、図１０は、同じくＬＥＤ電球の灯体を変向した状態の一部切り欠き概略正面断面図である。なお、図１と同一部分には同一符号を付して説明は省略する。
【００７２】
図９に示すＬＥＤ電球４４は、灯体４５、軸体４６、発光ダイオード３、点灯装置４、カバー４７を有して構成されている。
【００７３】
灯体４５は、灯体本体４８、被支持部４９および光出射部としての開口９を有している。灯体本体４８は、図１に示す球状体８の部材８Ａにおいて、さらに環状座としての周段部５０を有して形成されている。周段部５０には、外形が円状であって、中央部に被支持部４９が形成された支持部材５１がねじ５２により固定されている。この支持部材５１には、孔５３が形成されている。そして、雄コネクタ５４に接続されたリード線５５が基板１６に接続されている。
【００７４】
被支持部４９は、灯体本体４８の中心軸Ｂ方向となるように支持部材５１に形成されている。そして、被支持部４９は、半球面からなる受け部４９ａに形成されている。開口９は、灯体本体４８の中心軸Ｂ方向であって被支持部４９と対抗する灯体本体４８の外面側に形成されている。
【００７５】
軸体４６は、角形または丸形の棒状に形成された回転軸部５６および被支持部４９を支持する支持部５７を有している。そして、回転軸部５６は、円盤状に形成された基台５８の中央部に所定の長さで突出形成されている。基台５８は、貫通孔５９が設けられている。また、基台５８は、回転軸部５６の他端側となっているものである。
【００７６】
支持部５７は、回転軸部５６の一端側に形成されたものであり、外面が球面である球面体５７ａに形成されている。この球面体５７ａは、灯体４５の受け部４９ａに嵌め込まれている。受け部４９ａは、球面体５７ａの径と同一の半球面からなる底面を有しており、その底面に球面体５７ａの外面が接するように軸体５６が挿入されている。そして、軸体５６が外れないように、球面体５７ａが支持部材５１にねじ止めまたは接着された二つ割りの固定具６０で挟持されている。こうして、受け部４９ａが揺動回転可能な状態で軸体５６の球面体５７ａに支持される。すなわち、灯体４５が軸体４６の固定軸部５６の回りに揺動回転できて、その状態を保持することができるものである。
【００７７】
カバー４７は、図１に示すカバー部３８の下端３８ａ側がカットされたカバー部６１を有している。そして、台部４０の孔３９に軸体４６の固定軸部５６を挿入し、基台５８を台部４０の上面４０ａにねじ４１により固定している。このとき、カバー部６１の下端６１ａから外方に固定軸部５６が所定長突出するように固定軸部５６の長さが設定されている。
【００７８】
そして、基台５８の貫通孔５９には、一端に雄コネクタ３４が接続され、他端に雌コネクタ６２が接続されたリード線６３が挿通されている。雄コネクタ３４は、回路基板４ａの雌コネクタ３６に接続され、雌コネクタ６２は、雄コネクタ５４に接続されている。これにより、発光ダイオード３は、点灯装置４に接続されている。
【００７９】
そして、灯体４５の支持部材５１の上面には、開口６４を有し、ねじ５２の部位が切り欠きされた底部６５ａを有する円筒状の取付部材６５が接着材により固着されている。この取付部材６５の内面とカバー４７の下端６１ａ側の内面との隙間には、包囲体としての蛇腹６６が取り付けられている。
【００８０】
そして、灯体４５の支持部材５１に形成されている受け部４９ａ（被支持部４９）は、カバー４７のカバー部６１から突出している軸体４６の球面体５７ａ（支持部５７）に揺動回転かつ保持可能に支持されている。したがって、灯体本体４８の外面４８ａを掴んで、図１０に示すように、灯体４５を軸体４６の固定軸部５６の回りに揺動回転させることができ、その回転後の状態を保持することができる。このとき、蛇腹６６は、灯体４５の揺動回転に応じて自在に変形する。これにより、発光ダイオード３からの光の照射方向を自由自在に可変することができ、灯体４５からの照明光を所望の方向に照射することができる。
【００８１】
そして、蛇腹６６は、灯体４５の揺動回転に応じて変形しても、リード線５５，６３や軸体４６の固定軸部５６を包囲し、これらを外部から見えなくしている。したがって、灯体４５が揺動回転されて照明光の照射方向が可変されたときのＬＥＤ電球４４の美観が損なわれることを抑制することができる。
【００８２】
次に、本発明の第３の実施形態について説明する。
【００８３】
図１１は、本発明の第３の実施形態を示す照明器具の一部切り欠き概略正面図、図１２は、同じく他の照明器具の一部切り欠き概略正面図である。なお、図１と同一部分には同一符号を付して説明は省略する。
【００８４】
図１１に示す照明器具６７は、天井６８に吊り下げられる吊下げ形照明器具であり、外形が有底の円筒状である器具本体６９にＬＥＤ電球１の口金４２が取り付けられる電球用ソケット７０が配設されている。器具本体６９は、先端に引掛シーリングキャップ７１を有する電源コード７２を接続している。
【００８５】
そして、引掛シーリングキャップ７１は、天井６８に配設されている引掛シーリングボディ７３に取り付けられている。これにより、電源コード７２等を介して電球用ソケット７０に外部電源が供給される。引掛シーリングキャップ７１および引掛シーリングボディ７３は、シーリングカバー７４により覆われている。そして、ＬＥＤ電球１は、電球用ソケット７０に装着されている。
【００８６】
ＬＥＤ電球１は、図示しない壁スイッチのオンオフ操作に応じて点灯される。そして、灯体２を自由自在に回転させることにより、照明光を所望の方向に照射することができる。そして、灯体２は、球状体８を有して形成しているので、照明光の照射方向が変化しても、ＬＥＤ電球１の外形がほとんど変化しないものである。
【００８７】
また、図１２に示す照明器具７５は、天井６８に埋設されるダウンライトであり、外形が有底の円筒状である器具本体７６にＬＥＤ電球１が取り付けられる電球用ソケット７７が配設されている。器具本体７６は、器具本体７６と一体的に設けられているカバー体７８と板バネ７９，７９により、天井６８が挟持されて、天井６８に固定されている。そして、電球用ソケット７７には、ＬＥＤ電球１が取り付けられている。
【００８８】
ＬＥＤ電球１の光出射部９がカバー体７８の開口８０に対向していると、照明光は、直接的に開口８０から下面側に出射される。また、灯体２が回転されて、ＬＥＤ電球１からの光の照射方向が可変されると、照明光は、器具本体７６の内面で反射されて開口８０から下面側に出射される。
【００８９】
ＬＥＤ電球１からの光の照射方向に応じて、照明器具２４は、自由自在の配光で照明することができる。
【図面の簡単な説明】
【００９０】
【図１】本発明の第１の実施形態を示すＬＥＤ電球の一部切り欠き概略正面断面図。
【図２】同じく、ＬＥＤ電球の一部切り欠き概略側面断面図。
【図３】同じく、ＬＥＤ電球の灯体を変向した状態の右側面図。
【図４】同じく、ＬＥＤ電球の灯体を変向した状態の左側面図。
【図５】同じく、第１の軸体の第１の支持部における部分拡大図。
【図６】同じく、第１の軸体における一部切り欠き概略側面図。
【図７】本発明の第２の実施形態を示すＬＥＤ電球の一部切り欠き概略正面断面図。
【図８】同じく、ＬＥＤ電球の一部切り欠き概略側面断面図。
【図９】本発明の第３の実施形態を示すＬＥＤ電球の一部切り欠き概略正面断面図。
【図１０】同じく、ＬＥＤ電球の灯体を変向した状態の一部切り欠き概略正面断面図。
【図１１】本発明の第４の実施形態を示す照明器具の一部切り欠き概略正面図。
【図１２】同じく、他の照明器具の一部切り欠き概略正面図。
【符号の説明】
【００９１】
１，１Ａ，４４…ＬＥＤ電球
２，４５…灯体
３…発光ダイオード
４…点灯装置
５…第１の軸体
６…第２の軸体
７，７Ａ，４７…カバー
８…球状体
９…光出射部としての開口
１０…スリット
２１…第１の支持部
２２…固定軸部
２３…回転軸部
２５…第２の支持部
３０…導電体としての銅箔
３３，３５…リード線
４２…口金
４６…軸体
４８…灯体本体
４９…被支持部
５６…軸体の固定軸部
５７…支持部
６７，７５…照明器具
６９，７６…器具本体
【図１】
2008251444.tif 000003
【図２】
2008251444.tif 000004
【図３】
2008251444.tif 000005
【図４】
2008251444.tif 000006
【図５】
2008251444.tif 000007
【図６】
2008251444.tif 000008
【図７】
2008251444.tif 000009
【図８】
2008251444.tif 000010
【図９】
2008251444.tif 000011
【図１０】
2008251444.tif 000012
【図１１】
2008251444.tif 000013
【図１２】
2008251444.tif 000014